(57)【特許請求の範囲】
【請求項１】
斜めに寄り掛けるようにした釣竿を受け止める受け部と、この受け部に連結した棒状部とを有して成る竿受けを略垂直に保持するための釣竿受け用保持具であって、
ベルトにより釣座に固定され、魚がいる釣場所側の端部に傾きを調整するための調整具を配設し、陸地側の下面に滑り止めを配設した基台と、
前記基台に載設し、前記ベルトを挿通する挿通孔を形成するために配置されたベルト通し穴形成体と、
前記竿受けに設けられた前記棒状部の下端部を挿入して当該竿受けを保持するための支持穴が穿設されると共に、前記竿受けを固定するための締付具を設けるためのネジ穴が穿設され、前記ベルト通し穴形成体に載設される竿受け支持部と、
前記竿受け支持部を左右から支持して前記基台に載設される支え部と、
をそれぞれ木材で形成して成ることを特徴とする釣竿受け用保持具。
【請求項２】
斜めに寄り掛けるようにした釣竿を受け止める受け部と、この受け部に連結した棒状部とを有して成る竿受けを略垂直に保持するための釣竿受け用保持具であって、
ベルトにより釣座に固定され、魚がいる釣場所側の端部に傾きを調整するための調整具を配設し、陸地側の下面に滑り止めを配設した基台と、
前記竿受けに設けられた前記棒状部の下端部を挿入して当該竿受けを保持するための支持穴を有すると共に、前記竿受けを固定するための締付具を設けるためのネジ穴が穿設された竿受け支持部と、
前記竿受け支持部が倒れることを阻止する支え部と、
を樹脂で一体に形成してなると共に、前記ベルトを通すための挿通孔を前記基台に穿設したことを特徴とする釣竿受け用保持具。
【発明の詳細な説明】
【０００１】
【発明の属する技術分野】
本発明は、テトラポットや丸太棒等の釣座上に設置する釣竿受け用保持具に関する。
【０００２】
【従来の技術】
従来から魚釣において、魚釣を行っているときに釣竿を一時期的に置くために、又は所謂待ち釣をするに各種釣竿受け具が使用されている。該釣竿受け具は、釣竿の穂先が折れないように、また釣竿が外力を受けて損傷しないように一時的に保持し、直ぐに釣竿を持つことができるように、釣竿を斜めに立てるのに使用されている。
【０００３】
また、釣竿受け具は、釣竿を所望の角度に傾けて支持させて置き、竿先に魚が掛かった反応を明確に出るように竿を斜めに立てて支持して、魚を確実に釣上げるために竿受け又は竿立てと称されているものが使われている。また、釣竿を釣人の手から離して置く場合にも、他人の邪魔にならないようにするために、また餌を素早く付け替えることができるようにするために、またハリスや道糸や仕掛が絡まないようにするため等の種々の理由により釣竿を斜めに立てておく釣竿受け具が使用されている。
【０００４】
また、魚を数多く釣上げるには、魚が餌を引いたときに、竿受けが倒れるようではせっかく掛かった魚釣上げることもできない。このためにも竿受けがしっかりと地に着いて立っていなければスムーズに魚を釣上げることはできない。また、足場の悪い所で釣をする場合、安全に釣をするためには、釣竿受け具が動かないようにしっかりと所定位置に設置することが望ましい。
【０００５】
また、釣竿受け具は、防波堤などの平らな場所では三脚状の竿受け具が使用されている。また、砂地では、地面に突き刺して使用する竿立てと言われている釣竿受け具や前記三脚状の竿受け具が使用されている。また、岩場等では、例えば特開平１１−１５５４５２号公報に開示されている釣竿ホルダ用の支持具などにより、支持具を地面や岩に突き刺して使用する釣竿受け具が使用されている。
【０００６】
【発明が解決しようとする課題】
しかしながら、このような釣竿受け具は、構造が大掛かりで複雑で、部品点数が多く、コストが高く、かつテトラポットに取り付けるのに時間がかかるという問題点がある。また、前記釣竿受け具は、重量が重く、大きいので持ち運びが便利であるという問題点がある。
【０００７】
本発明は、構造が簡単で、持ち運びに便利で、かつテトラポットに設置するのに最適な釣竿受けを保持する釣竿受け用保持具を提供することを目的とする。
【０００８】
【課題を解決するための手段】
本発明は、前述した従来の技術の課題を解消すべく発明したものであり、請求項１の釣竿受け用保持具の発明は、斜めに寄り掛けるようにした釣竿を受け止める受け部と、この受け部に連結した棒状部とを有して成る竿受けを略垂直に保持するための釣竿受け用保持具であって、ベルトにより釣座に固定され、魚がいる釣場所側の端部に傾きを調整するための調整具を配設し、陸地側の下面に滑り止めを配設した基台と、前記基台に載設し、前記ベルトを挿通する挿通孔を形成するために配置されたベルト通し穴形成体と、前記竿受けに設けられた前記棒状部の下端部を挿入して当該竿受けを保持するための支持穴が穿設されると共に、前記竿受けを固定するための締付具を設けるためのネジ穴が穿設され、前記ベルト通し穴形成体に載設される竿受け支持部と、前記竿受け支持部を左右から支持して前記基台に載設される支え部と、をそれぞれ木材で形成して成ることを特徴とする。
【０００９】
請求項２の釣竿受け用保持具の発明は、斜めに寄り掛けるようにした釣竿を受け止める受け部と、この受け部に連結した棒状部とを有して成る竿受けを略垂直に保持するための釣竿受け用保持具であって、ベルトにより釣座に固定され、魚がいる釣場所側の端部に傾きを調整するための調整具を配設し、陸地側の下面に滑り止めを配設した基台と、前記竿受けに設けられた前記棒状部の下端部を挿入して当該竿受けを保持するための支持穴を有すると共に、前記竿受けを固定するための締付具を設けるためのネジ穴が穿設された竿受け支持部と、前記竿受け支持部が倒れることを阻止する支え部と、を樹脂で一体に形成してなると共に、前記ベルトを通すための挿通孔を前記基台に穿設したことを特徴とする。
【００１８】
【発明の実施の形態】
第１の実施形態（図１〜図６）
まず、図１乃至図６に基づき本発明に於ける第１の実施形態を詳述する。図１は、釣竿受け用保持具の使用状態を示す斜視図である。図２は、釣竿受け用保持具の拡大斜視図である。図３は、ベルトの一部断面を有する拡大斜視図である。図４は、ベルトの帯部を引っ張って締め付けたときの状態を示す要部拡大斜視図である。図５は、ベルトをレバーで締め付けたときの状態を示す要部拡大斜視図である。図６は、ベルトを弛めるときの状態を示す要部拡大斜視図である。
【００１９】
図１及び図２に示す１は、竿受け２を略垂直に保持し、テトラポット３に載置する釣竿受け用保持具（以下、単に「保持具」という）である。該保持具１は、竿受け２を支持穴１ａに挿入して固定し、かつベルト４を挿通孔１ｂに挿通して、該ベルト４でテトラポット３等に締め付けて固定するものである。該保持具１は、少なくとも前記支持穴１ａと、前記挿通孔１ｂと、該支持穴１ａ及び挿通孔１ｂを穿設した基台５と、を備えて成る。
【００２０】
保持具１は、例えば木製の円柱形状の板部材を組み合わせて成り、河川や湖や海等の水に対して耐久性及び耐食性があり、軽量なものが材料として適している。該保持具１は、木製以外に例えば樹脂などで形成しても良い。以下、本発明の第１の実施形態を木材で形成した保持具１について詳述する。
【００２１】
前記基台５は、下面５ａの一方側に例えばゴム製の板材で成る滑り止め６、前記下面５ａの他方側の左右に基台５の傾きを調整する傾き調整具７，８を有する。該基台５は、盤面５ｂ上にベルト４を挿通するための挿通孔１ｂを形成すべく、ベルト通し穴形成体９を螺子１０により固定している。該基台５は、前記ベルト通し穴形成体９の左右に、竿受け支持部１１を左右から支持する支え部１２，１３を載設している。
【００２２】
前記滑り止め６の材料は、ゴム材に限定することなく、樹脂や金属であっても良い。該滑り止め６の表面は、摩擦抵抗を向上させるために凹凸面状、ヤスリ状、または紙ヤスリ状にしても良い。該滑り止め６は、基台５の一端にのみではなく、基台５の下面のテトラポット３に接触する面に取り付ければ良く、例えば基台５の下面全体に設置しても良い。また、該滑り止め６を基台５に固定する手段は、接着剤でもネジや釘でも良く、その手段は特に限定しない。
【００２３】
前記傾き調整具７，８は、保持具１を設置するテトラポット３の設置面３ｂの傾き状態に合わせて基台５の盤面５ｂを所望角度にして、竿受け２の傾きを調整するものである。該傾き調整具７，８は、基台５の下面５ａに螺合されて進退自在に設けられたネジ部材で成る。該傾き調整具７，８は、基台５の下面５ａの左右海側端部に配設してネジ込み、下面５ａから突出した長さを調整して、基台５の傾きを水平又はやや斜めに傾けると共に、竿受け２の傾きを自分の所望とする水平又は傾き状態にするための調節部材である。
【００２４】
該傾き調整具７，８は、基台５にドリルで穴を穿設し、該穴に鬼目ナット等のナット７ａを植設し、ボルト７ｄをネジ込むようにして成る。該傾き調整具７，８は、座金７ｂ、及び緩み止めナット７ｃを介して前記ナット７ａに螺合される。前記ボルト７ｄは、例えばレンチで着脱できる六角穴付ボルト等で成る。
【００２５】
ベルト通し穴成形体９は、下面の略中央に、ベルト４を通す挿通孔１ｂを形成するための切欠溝９ａを形成した円板状部材である。該ベルト通し穴成形体９は、挿通孔１ｂの一部を構成する挿通溝９ａを有する板状のものであれば良く、例えば四角形等の多角形のものでも良い。
【００２６】
前記挿通溝９ａの幅及び高さは、前記ベルト４の幅及び厚さに合わせて成形し、該ベルト４を挿通することができる長さのものであれば良い。該挿通溝９ａは、基台５にベルト通し穴成形体９を載置すると、盤面５ｂとで前記ベルト４を通す挿通孔１ｂを形成する。尚、該挿通孔１ｂは、ベルト穴形成体９に直接穿設したものでも良い。
【００２７】
基台５は、該挿通溝９ａに合わせて、前記挿通孔１ｂの開口部外側の盤面５ｂに、斜めにかつ溝状に形成した切欠部５ｃを形成している。該切欠部５ｃは、ベルト４でテトラポット３に基台５を抱くように回して締め付けて固定するときに、ベルト４と基台５の角との抵抗を少なくするために形成したものである。
【００２８】
前記ベルト通し穴形成体９の上には、竿受け２を保持する竿受け支持部１１を配設している。該竿受け支持部１１は、竿受け２の下端部を挿入する支持穴１１ａを穿設した筒状のもので、側面に締付け具１４を設けるための横穴１１ｂ、上面には該竿受け支持部１１に植設されるナット１６を配設するための縦穴１１ｃを形成している。該縦穴１１ｃは、例えば２個から４個で成る。
【００２９】
前記竿受け支持部１１は、螺子１０をナット１６に螺合することによりベルト通し穴形成体９と共に基台５に固定される。該竿受け支持部１１の左右には、該竿受け支持部１１がガタ付いたり、傾倒したりすることを阻止するための支え部１２，１３を配設している。該竿受け支持部１１は、止めネジ１５により基台５に固定される。
【００３０】
前記竿受け支持部１１の横穴１１ｂには、例えば、締付具１４をネジ込んで、該締付具１４の先端を竿受け２の外周面を押圧して、竿受け２が支持穴１１ａの内壁に押し付けられることで、竿受け支持部１１が保持具１に固定される。
【００３１】
締付具１４は、鬼目ナットなどの前記横穴に捻じ込んで固定されるナット１４ｂと、該ナット１４ｂに螺合されてネジ部の先端で竿受け２を押圧して該竿受け２を竿受け支持部１１にガタ付きなく固定する締付具１４ａと、で成る。
【００３２】
尚、保持具１は、全体の長さをＬ１、支持穴１ａから海、川、湖などの釣場所側Ｉの端部までの長さをＬ２、支持穴１ａから陸地側Ｊの端部までの長さＬ３とすると、
Ｌ１＝Ｌ２＋Ｌ３
Ｌ２＞Ｌ３
とする。
【００３３】
これにより、竿１７が竿受け２に寄り掛かって押す力Ｆ１と、竿受け２が竿１７の寄り掛かった重さＦ１によりにより倒れ掛かる荷重Ｆ２に対しても、保持具１が釣場所側Ｉに倒れることを防止することができる。この保持具１が倒れようとする力Ｆ１＋Ｆ２は、魚が竿１７を引くことで更に強くなるが、長さＬ２を長くすることで保持具２が倒れることを防止することができる。
【００３４】
また、保持具１の横幅ｄを長くすることにより、保持具１が風などにより横方向の力を受けて横方向に倒れることを防止して、保持具１を安定した状態でテトラポット３上に固定することができる。
【００３５】
前記竿受け２は、竿１７を支持する受け部２ａと、支持穴１１ａに挿入される筒状の棒状部２ｂと、で成る。該竿受け２は、前記受け部２ａと棒状部２ｂとが一体でも、２部品で構成して繋いだものでも良い。
【００３６】
前記受け部２ａと棒状部２ｂとが一体の竿受け２は、例えば、鉄又はステンレスなどの溶接が可能な金属で成る。前記受け部２ａと棒状部２ｂとを２部品で構成して繋いだものは、釣竿１７のような樹脂や竹製の受け部２ａで形成して成る。該受け部２ａは、竿１７を寄り掛けて受け止める箇所で、例えばＵ字形状、Ｖ字形状、又はＷ字形状と成っている。
【００３７】
前記竿１７は、例えばリール１８を付けて投げる投げ竿、磯竿などの所謂リール竿である。
【００３８】
テトラポット３は、海や川の岸辺に配置されるコンクリート製の波消しブロックである。該テトラポット３は、複数のテーパー状の脚部３ａがあり、該脚部３ａにベルト４を締め付けて保持具１が固定される。
【００３９】
尚、保持具１を取り付けて、竿１７を置くことができる釣座をテトラポットとしたが、ベルト４を締め付けることができる物であれば該保持具１を取り付けて釣をすることができる。保持具１を取り付けることができる物は、例えば、大木などの丸太状のもの、角材、棒状に突出した岩、橋の欄干などであれば取り付けて釣座にすることが可能である。
【００４０】
ベルト４は、化繊などの布製で帯状のもので成り、テトラポット３に締め付けた該ベルト４が弛むことなく固定する締め付け固定部４ａを有する。尚、ベルト４は、帯で縛るようにしてテトラポット３に固定するものでも良く、締め付け固定部４ａの形状、及び構造等は特に限定しない。また、ベルト４は、ズボンに使われる腰ベルトでも良い。
【００４１】
帯部４ｂは、図１に示す挿通孔１ｂに挿通して保持具１をテトラポット３の腰部３ａに固定するもので、帯状のものが最適であるが、ロープ状のものでも鎖状のものでも良く、特に形状は限定しない。帯部４ｂの材質は、化繊からなる帯が最適であるが、耐食性及び耐久性があり、軽量であれば良く、特に限定しない。
【００４２】
前記ベルト４は、締め付け固定部４ａが帯部４ｂを無段階の間隔なしに強く締め付けることができるもので、市販されているラチェット式荷締めベルトが最適である。この構造について、図３乃至図６に基づきベルト４について詳述する。
【００４３】
図３は、ベルト４の一部断面を有する拡大斜視図である。図４は、ベルト４の帯部を引っ張って締め付けたときの状態を示す要部拡大斜視図である。図５は、ベルト４をレバーで締め付けたときの状態を示す要部拡大斜視図である。図６は、ベルト４を弛めるときの状態を示す要部拡大斜視図である。
【００４４】
前記ベルト４の帯部４ｂは、長さが可変できる巻き取り側ベルト４ｃと長さが一定な固定側ベルト４ｄとで成り、その両者間に前記締め付け固定部４ａが配設され、両端にはフック４ｅ，４ｆがそれぞれ設けられている。締め付け固定部４ａは、ラチェット式に巻き取ることができる巻取りドラム４ｇと、該巻取りドラム４ｇに巻取り側ベルト４ｃを巻き付けるための操作レバー４ｈと、前記巻取りドラム４ｇをフリーの状態にすることが可能な解放レバー４ｉと、で成る。
【００４５】
該ベルト４で保持具１をテトラポット３に固定する仕方について説明する。まず、釣人が安全に載ることができるテトラポット３を探して、保持具１を配置する箇所決める。保持具１をテトラポット３の脚部３ａの上に載置して、傾き調整具７，８で前後左右の傾きを調整する。例えば、テトラポット３の脚部３ａが海などの釣場所側Ｉに傾斜している場合は、傾き調整具７，８を基台５の下面から突出させて基台５の釣場所側Ｉを上げて基台５を水平又は陸地側Ｊに傾かせる。
【００４６】
該保持具１の挿通孔１ｂに巻取り側ベルト４ｃを挿通して、テトラポット３の脚部３ａの周りにベルト４を一周させて抱くようにして、一方のフック４ｅを他方のフック４ｆに掛止する。
【００４７】
次に図４に示すように巻取り側ベルト４ｃの端部側を矢印Ｃ方向に引っ張り、仮止めする。次に図５に示すように操作レバー４ｈを矢印Ｄ，Ｆの前後方向に繰り返し倒すように回動させて，強く締め付ける。そして、図６に示すように矢印Ｄの前方向に操作レバー４ｈを倒しておくことで、ベルト４による保持具１のテトラポット３への取り付けが完了する。
【００４８】
そして、ベルト４をテトラポット３から解くときは、解放レバー４ｉを矢印Ｇの前方向に引くことで、ベルト４の係止が解放されて、ベルト４を引いて解くことが可能となる。
【００４９】
本発明の保持具１は、以上のようにして組み付けられていて、挿通孔１ｂにベルト４を挿通して、テトラポット３の脚部３ａに締め付けて固定する。そして、テトラポト３の脚部３ａに保持具１を設置する設置面３ｂが傾いていて、その傾きに伴い保持具１の盤面５ｂが傾いているときは、傾き調整具７，８のボルト５ｄを回して基台５から突出する長さを調整することで、盤面５ｂの傾きを調整して、竿受け２の向きを自分の望む安定した向きに調整する。
【００５０】
例えば、竿受け２は、海などの釣場所側Ｉとは反対の方向にやや傾いた状態に保持具１で固定することにより、安定した倒れ難い状態となる。また、横風がある場合、左右の傾き調整具７，８の調整して竿受け支持部１１を風向き方向に傾けることで、風により保持具１が倒れることを防止することができる。
【００５１】
尚、保持具１は、適宜な個所に穴を穿設して、パンチングを行い軽量化することで、更に持ち運び易くすることができる。
【００５２】
第２の実施形態（図７）
次に図７に基づき本発明の第２の実施形態を詳述する。
図７は、本発明に於ける第２の実施形態を示す図面で、釣竿受け用保持具の拡大斜視図である。この第２の実施形態は、前述した本発明の第１の実施形態における保持具１に代わり該保持具１全体を樹脂で一体形成した保持具２０を示すものである。
【００５３】
また、該保持具２０は、挿通孔２０ｂ，２０ｃを複数設けて、ベルト２１の帯部２１ａの挿通孔２０ｂ，２０ｃに挿通する箇所を二股状にして、テトラポット３に更に安定した状態で固定する１手段を示すものである。以下、本発明の第２の実施形態の説明は、前述した第１の実施形態と同一のものは同一符合を用いると共にその説明を省略する。
【００５４】
前記保持具２０は、基台２０ｄと、該基台２０ｄにベルト２１を挿通するための挿通孔２０ｂ，２０ｃと、竿受け２を挿入する支持穴２０ａを有する竿受け支持部２０ｅと、該竿受け支持部２０ｅが倒れることを阻止する支え部２０ｆと、基台２０ｄの下面に配設した滑り止め２０ｇと、を樹脂で一体に形成して成る。
【００５５】
尚、保持具２０は、第１の実施形態で説明した各構成部材を一体形成したことにより、部品点数、組付工数、及び管理工数を削減してコストを低減させることができる。また、該竿受け支持部２０ｅは、金属で形成して、樹脂で成る保持具２０にインサート形成しても良い。これにより、竿受け支持部２０ｅを金属で形成して補強することができる。
【００５６】
前記基台２０ｄは、金型で樹脂を射出成形したときに発生するヒケを防止し、かつ軽量化及び樹脂材料の削減を図るために肉抜きとしての空間、溝、又は孔を適宜に設けても良い。また、基台２０ｄの端部には、竿受け支持部２０ｅの傾きを調整するための傾き調整具２２，２３を配設している。この傾き調整具２２，２３は、前述した本発明の第１の実施形態で説明した傾き調整具７，８と同じ役目をするもので、貫通穴２０ｈ内にインサート成形したナット２２ｂと、ナット２２ｂに螺合するボルト２２ａとで成る。
【００５７】
ベルト２１は、挿通孔２０ｂ，２０ｃに挿通する帯部２１ａを二股状に分けた二股部２１ｂを有する。該ベルト２１は、二股部２１ｂを２箇所の挿通孔２０ｂ，２０ｃに挿通することで、保持具２０をガタ付きなくしっかりとテトラポット３に固定することができる。該ベルト２１は、挿通孔２０ｂと挿通孔２０ｃとの間の間隔Ｌ４を広げることで、更に保持具２０をしっかりと固定し、竿受け支持部２０ｅを揺動することなく安定させた状態で固定できる。
【００５８】
前記ベルト２１の二股部２１ｂは、バックル２１ｃ，２１ｄにより二股部２１ｂ全体の長さを調整可能になっている。２１ｅは、ベルト２１全体の長さを調整し、該ベルト２１をテトラポット３に締め付けるための長さ調整締付具である。
【００５９】
２４は、竿受け２を保持具２０の竿受け支持部２０ｅに押さえ付けて固定するための締付具であり、竿受け支持部２０ｅに外周側面に穿設したネジ穴に螺合するボルトで成る。該締付具２４は、手で握って回動し易くするために把手２４ａを先端に有する。
【００６０】
本発明の第２の実施形態は、以上のような構成で成り、使用するときは、前述した本発明の第１の実施形態と同様に使用することができ、その使用方法の説明は省略する。
【００６１】
第３の実施形態（図８）
次に図８に基づき本発明の第３の実施形態を詳述する。
図８は、本発明に於ける第３の実施形態を示す図面で、釣竿受け用保持具の拡大斜視図である。
【００６２】
この第３の実施形態は、第１の実施形態で説明した保持具１の各部材を金属で形成してビス、ネジ、又は溶接等の手段で全体を一体化した保持具２５で成る。また、該保持具２５に、挿通孔２５ｂ，２５ｃ，２５ｄ，２５ｅを複数設けて、ベルト２１を前述した本発明の第２の実施形態の帯部２１ａを二股状にして、テトラポット３に更に安定した状態で固定する１手段を示すものである。以下、本発明における第３の実施形態の説明を、前述した第１及び第２の実施形態と同一のものは同一符合を用いると共に、その説明を省略する。
【００６３】
前記保持具２５は、金属板で成る基台２５ｆと、該基台２５ｆにベルト２１を挿通するための挿通孔２５ｂ，２５ｃ，２５ｄ，２５ｆを形成するためのベルト通し２５ｇ，２５ｈ，２５ｊ，２５ｋと、竿受け２を挿入する支持穴２５ａを有する竿受け支持部２５ｋと、該竿受け支持部２５ｋが倒れることを阻止する支え部２５ｌ、２５ｍと、基台２５ｆの下面に配設した滑り止め２５ｎと、を金属で一体に形成して成る。該保持具２５は、前記ベルト通し２５ｇ，２５ｈ，２５ｊ，２５ｋ、竿受け支持部２５ｋ、及び支え部２５ｌ、２５ｍを基台２５ｆに固着するのに溶接手段、又はビス止め手段、又はネジ止め手段等で固定して成る。
【００６４】
該保持具２５は、前記各々の部材を溶接で基台２５ｆに固着する場合、材質を溶接することが可能な鉄系の金属、又はステンレス鋼などで形成する。また、該保持具２５を構成する各々の部材をビスやネジで固定する場合は、アルミニウム等の軽合金で成る部材で組み立てると軽量となり、持ち運びし易く便利である。前記滑り止め２５ｎは、樹脂やゴム製のもので成り、接着剤やアウトサート成形等で基台２５ｆの下面に設けられる。
【００６５】
前記基台２５ｆは、軽量化を図るためにパンチングをして穴を穿設して軽量化を図っても良い。また、基台２５ｆの端部には、竿受け支持部２５ｅの傾きを調整するための傾き調整具２６，２７を配設している。この傾き調整具２６，２７は、前述した本発明の第１の実施形態で説明した傾き調整具７，８と同じ役目をするもので、貫通穴に挿通したボルトナットで成る。ベルト２１は、前述した第２の実施形態のものと同じものを使用する。
【００６６】
竿受け支持部２５ｋは、長さＬ６を長くすることで、竿受け２を固定するための特別な締付具を必要としない。また、竿受け２は、竿受け支持部２５に自動車用アンテナ状に伸び縮み自在にしても良い。
【００６７】
本発明の第３の実施形態は、以上のような構成で成り、使用するときは、前述した本発明の第１の実施形態と同様に使用することができ、その使用方法の説明は省略する。
【００６８】
第４の実施形態（図９）
次に図９に基づき本発明の第４の実施形態を詳述する。
図９は、本発明に於ける第４の実施形態を示す図面で、釣竿受け用保持具の拡大分解斜視図である。この第４の実施形態は、保持具２８に竿受け支持部２９を矢印Ａ，Ｂの前後方向に回動可能に軸支したものである。竿受け支持部２９は、下端部に軸穴２９ａを穿設した板状部２９ｂを形成し、該板状部２９ｂの上側を竿受け２の下端部が挿入される管状に形成したものである。
【００６９】
前記板状部２９ｂは、保持具２８の基台２８ｃに突出形成した軸受片２８ｂ，２８ｂ間に挿入し、竿受け支持部２９の軸穴２９ａと基台２８ｃの軸穴２８ａとを一致させ、ボルト３０を挿入して、竿受け支持部２９を所望の傾きにしてナット３１で固定する。該竿受け支持部２９の傾きを支え部３２で固定している。
【００７０】
該支え部３２は、一端に孔３２ａ、他端に基台２８ｃの盤面に設置した連山状の溝部２８ｍに係合する係合部３２ｃを形成した略棒状の部材である。該支え部３２は、竿受け支持部２９の側面に形成したフランジ２９ｄの孔２９ｅに支え部３２の孔３２ａを一致させ、該孔２９ｅ，３２ａにピン３２ｂを挿通して回動自在に軸支する。該支え部３２は、係合部３２ｃが係合する溝部２８ｍの位置を変えることで、竿受け支持部２９の傾きを調整できる。該支え部３２は、前述した本発明の第１及び２の実施形態で説明した傾き調整具７，８、２６，２７と同じ機能を備えている。
【００７１】
前記保持具２８は、金属板で成る基台２８ｃと、該基台２８ｃにベルト２１を挿通するための挿通孔２８ｄ，２８ｅ，２８ｆ，２８ｇを形成するためのベルト通し２８ｈ，２８ｉ，２８ｊ，２８ｋと、竿受け２を挿入する支持穴２９ｃを有する竿受け支持部２９と、該竿受け支持部２９が倒れることを阻止する支え部２３２と、基台２８ｃの下面に配設した滑り止め２８ｌと、軸穴２８ａを穿設した軸受片２８ｂと、溝部２８ｍと、を金属で一体に形成して成る。該保持具２８は、前記ベルト通し２８ｈ，２８ｉ，２８ｊ，２８ｋ、軸受片２８ｂ、及び溝部２８ｍを基台２８ｃに固着するのに溶接手段、又はビス止め手段、又はネジ止め手段等で固定して成る。
【００７２】
該保持具２８は、前記各々の部材を溶接で基台２８ｃに固着する場合、材質を溶接することが可能な鉄系の金属、又はステンレス鋼などで形成する。また、該保持具２８を構成する各々の部材をビスやネジで固定する場合は、アルミニウム等の軽合金で成る部材で組み立てると良い。前記滑り止め２８ｌは、樹脂やゴム製のもので成り、接着剤等で基台２８ｃの下面の四隅に設けられる。
【００７３】
前記基台２８ｃは、軽量化を図るためにパンチングをして穴を穿設して良い。尚、ベルト２１は、前述した第２の実施形態のものと同じものを使用する。
【００７４】
本発明の第３の実施形態は、以上のような構成で成り、使用するときは、前述した本発明の第１の実施形態と同様に使用することができ、その使用方法の説明は省略する。
【００７５】
【発明の効果】
本発明は、以上のような構成・作用で成るので次のような効果を奏する。請求項１の発明は、釣竿を支持する竿受けを保持するための釣竿受け用の保持具において、前記保持具が、ベルトを使用して釣座に固定される基台と、前記ベルトを通すために該基台に設けられた挿通孔と、前記竿受けの下端部を保持する竿受け支持部と、で成ることで、前記ベルトによりテトラポットなどの丸太状の釣座に容易に釣竿受け用の保持具を設置することができ、投げ釣で釣をするのに便利である。また、釣竿受け用の保持具は、構造が簡単で小型軽量にすることができ、持ち運びが容易である。さらに、釣竿受け用の保持具は、釣竿受け用の保持具を木材等により安価で容易に製造することができる。
【００７９】
請求項１および２の発明は、基台が、魚が存在する釣場所側Ｉの端部に調整具を配設し、陸地側の下面に滑り止めを配設したことで、基台を滑り難く、かつ傾きを自由に調整できるようにすることができ、基台が風などの外力により傾倒することを防止できる。
【００８０】
請求項２の発明は、基台を、樹脂で一体に形成したことで、部品点数及び組付工数を削減して、部品管理工数を削減すると共に、コストを低減することができる。また、請求項２の発明は、樹脂で形成したことにより、海水による耐食性を向上させると共に、軽量化を図り持ち運び易くすることができる。
【図面の簡単な説明】
【図１】本発明に於ける第１の実施形態を示す図面で、釣竿受け用保持具の使用状態を示す斜視図である。
【図２】本発明に於ける第１の実施形態を示す図面で、釣竿受け用保持具の拡大斜視図である。
【図３】本発明に於ける第１の実施形態を示す図面で、ベルトの一部断面を有する拡大斜視図である。
【図４】本発明に於ける第１の実施形態を示す図面で、ベルトの帯部を引っ張って締め付けたときの状態を示す要部拡大斜視図である。
【図５】本発明に於ける第１の実施形態を示す図面で、ベルトをレバーで締め付けたときの状態を示す要部拡大斜視図である。
【図６】本発明に於ける第１の実施形態を示す図面で、ベルトを弛めるときの状態を示す要部拡大斜視図である。
【図７】本発明に於ける第２の実施形態を示す図面で、釣竿受け用保持具の拡大斜視図である。
【図８】本発明に於ける第３の実施形態を示す図面で、釣竿受け用保持具の拡大斜視図である。
【図９】本発明に於ける第４の実施形態を示す図面で、釣竿受け用保持具の拡大分解斜視図である。
【符号の説明】
１，２０，２５，２８  釣竿受け用の保持具
１ｂ，２０ｂ，２０ｃ，２５ｂ，２５ｃ，２５ｄ，２５ｃ  挿通孔
２  竿受け
４，２１  ベルト
５，２０ｄ，２５ｆ，２８ｃ  基台
６，２０ｇ，２５ｎ  滑り止め
７，８，２２，２３，２６，２７  傾き調整具
９  ベルト通し穴形成体
１１，２０ｅ，２５ｋ，２９  竿受け支持部
１２，１３，２０ｆ，２５ｌ，２５ｍ  支え部
１７  釣竿
Ｌ１  基台の長さ
Ｌ２  竿受け支持部の中心線から基台の釣場所側の端部までの長さ
Ｌ３  竿受け支持部の中心線から基台の陸地側の端部までの長さ
【図１】
0003852088.tif 000002
【図２】
0003852088.tif 000003
【図３】
0003852088.tif 000004
【図４】
0003852088.tif 000005
【図５】
0003852088.tif 000006
【図６】
0003852088.tif 000007
【図７】
0003852088.tif 000008
【図８】
0003852088.tif 000009
【図９】
0003852088.tif 000010